(57)【特許請求の範囲】
【請求項１】
映像及び／又は音声を出力する出力装置に対して映像データ及び／又は音声データを送信する送信部を備えたＡＶ機器において、
前記送信部にて前記出力装置に送信される前記映像データ又は音声データを記憶する記憶手段と、
前記出力装置より出力される映像又は音声から映像データ又は音声データを取得する取得手段と、
前記取得手段により取得された映像データ又は音声データが、前記記憶手段に記憶された映像データ又は音声データに含まれているか否かを判断する判断手段と、
前記判断手段により、前記取得手段により取得された映像データ又は音声データが、前記記憶手段に記憶された映像データ又は音声データに含まれていないと判断された場合に、当該ＡＶ機器の電源を遮断する電源遮断手段と、
を備えることを特徴とするＡＶ機器。
【請求項２】
請求項１記載のＡＶ機器において、
前記記憶手段は、音声データを記憶し、
前記取得手段は、前記出力手段により出力される音声を集音する集音マイクを備えることを特徴とするＡＶ機器。
【請求項３】
映像及び／又は音声を出力する出力装置と映像データ及び／又は音声データを相互に通信する通信部を備えたＡＶ機器において、
前記通信部にて前記出力装置に送信される前記映像データ又は音声データを記憶する記憶手段と、
前記出力装置から出力中の映像データ又は音声データを、前記通信部を介して取得する取得手段と、
前記取得手段により取得された映像データ又は音声データが、前記記憶手段に記憶された映像データ又は音声データに含まれているか否かを判断する判断手段と、
前記判断手段により、前記取得手段により取得された映像データ又は音声データが、前記記憶手段に記憶された映像データ又は音声データに含まれていないと判断された場合に、当該ＡＶ機器の電源を遮断する電源遮断手段と、
を備えることを特徴とするＡＶ機器。
【請求項４】
請求項１〜３の何れか一項に記載のＡＶ機器において、
表示部と、
前記判断手段により、前記取得手段により取得された映像データ又は音声データが、前記記憶手段に記憶された映像データ又は音声データに含まれていないと判断された場合に、当該ＡＶ機器の電源を遮断する旨を、前記表示部にて報知する報知手段と、を備え、
前記電源遮断手段は、前記報知手段による報知をしてから所定時間経過した後、当該ＡＶ機器の電源を遮断することを特徴とするＡＶ機器。
【請求項５】
請求項１〜４の何れか一項に記載のＡＶ機器において、
ユーザの操作に基づいて操作信号を出力する操作部と、
前記操作部から出力される操作信号を受信したか否かにより、ユーザが前記操作部を操作したか否かを判断するユーザ操作判断手段と、を備え、
前記電源遮断手段は、前記ユーザ操作判断手段により所定の時間ユーザが操作していないと判断された場合に、当該ＡＶ機器の電源を遮断することを特徴とするＡＶ機器。
【請求項６】
表示部と、
ユーザの操作に基づいて操作信号を出力する操作部と、
映像及び／又は音声を出力する出力装置に対して映像データ及び／又は音声データを送信する送信部と、を備えたＡＶ機器において、
前記送信部にて前記出力装置に送信される前記音声データを記憶する記憶手段と、
前記出力装置より出力される音声を集音マイクにより集音して音声データを取得する取得手段と、
前記取得手段により取得された音声データが、前記記憶手段に記憶された音声データに含まれているか否かを判断する判断手段と、
前記判断手段により、前記取得手段により取得された音声データが、前記記憶手段に記憶された音声データに含まれていないと判断された場合に、当該ＡＶ機器の電源を遮断する電源遮断手段と、
前記判断手段により、前記取得手段により取得された音声データが、前記記憶手段に記憶された音声データに含まれていないと判断された場合に、当該ＡＶ機器の電源を遮断する旨を、前記表示部にて報知する報知手段と、
前記操作部から出力される操作信号を受信したか否かにより、ユーザが前記操作部を操作したか否かを判断するユーザ操作判断手段と、を備え、
前記電源遮断手段は、前記報知手段による報知をしてから所定時間経過した後であって、前記ユーザ操作判断手段により所定の時間ユーザが操作していないと判断された場合に、当該ＡＶ機器の電源を遮断することを特徴とするＡＶ機器。
【発明の詳細な説明】
【技術分野】
【０００１】
本発明は、ＡＶ機器に関する。
【背景技術】
【０００２】
従来、入力端子に接続されている外部チューナに対して、ネットワークを介して電源のＯＮ／ＯＦＦの切り替えや、出力される音声信号や、映像信号のチャンネルの切り替えの可能な信号受信装置が知られている（例えば、特許文献１参照）。
【０００３】
また、音声再生装置において、光ディスクなどの再生時にアナログ化された音声の無信号状態が所定の時間継続すると、当該装置本体の電力供給を遮断する技術が知られている（例えば、特許文献２参照）。
【０００４】
また、音声サポート装置において、ＴＶモニタの送信部から出力される音声信号を受信する受信回路に、一定時間音声信号が受信されなかった場合に、当該装置の受信回路やスピーカへの電力供給を遮断する技術が知られている（例えば、特許文献３参照）。
【０００５】
また、音声信号の出力部から出力される音声信号のレベルがあらかじめ設定されたレベルになると、電源部の出力電圧を遮断させるテレビジョン受像機が知られている（例えば、特許文献４参照）。
【特許文献１】特開２００７−０９６９７２号公報
【特許文献２】特開２００６−１２７６７８号公報
【特許文献３】特開２００２−２２３４８７号公報
【特許文献４】特開２００２−１５２６２４号公報
【発明の開示】
【発明が解決しようとする課題】
【０００６】
しかしながら、上記特許文献１記載の技術は、ネットワークを介してユーザのリモート操作により電源を切り替えるものであり、ＡＶ機器が出力している映像や音声と、ユーザがモニタ等により視聴する映像や音声が相違してもユーザが気づかない場合には、ＡＶ機器の電源は遮断されない。また、上記特許文献３記載の技術は、ＴＶモニタが無音状態の場合のみを対象とするものであるため、ＡＶ機器が出力している映像や音声と、ユーザがモニタ等により視聴する映像や音声が、ともに無音状態ではなく相違する場合に、自動的に電源を遮断することが出来ないという問題があった。
【０００７】
また、上記特許文献２又は４記載の技術は、装置自体が出力する音声が無信号状態や所定の音量を超過している状態にある場合に当該装置の電源を遮断するに過ぎず、当該装置から出力装置に音声を出力した場合に、その音声と出力装置が出力している音声とが相違していても当該装置の電源を自動的に遮断することは出来ない、という問題があった。
【０００８】
本発明の課題は、ＡＶ機器が出力している映像や音声と、モニタ等の出力装置を介してユーザが視聴する映像や音声が相違する場合に、自動的にＡＶ機器の電源を遮断するＡＶ機器を提供することである。
【課題を解決するための手段】
【０００９】
上記課題を解決するため、
請求項１に記載の発明は、映像及び／又は音声を出力する出力装置に対して映像データ及び／又は音声データを送信する送信部を備えたＡＶ機器において、
前記送信部にて前記出力装置に送信される前記映像データ又は音声データを記憶する記憶手段と、
前記出力装置より出力される映像又は音声から映像データ又は音声データを取得する取得手段と、
前記取得手段により取得された映像データ又は音声データが、前記記憶手段に記憶された映像データ又は音声データに含まれているか否かを判断する判断手段と、
前記判断手段により、前記取得手段により取得された映像データ又は音声データが、前記記憶手段に記憶された映像データ又は音声データに含まれていないと判断された場合に、当該ＡＶ機器の電源を遮断する電源遮断手段と、
を備えることを特徴とする。
【００１０】
請求項２に記載の発明は、請求項１記載のＡＶ機器において、前記記憶手段は、音声データを記憶し、前記取得手段は、前記出力手段により出力される音声を集音する集音マイクを備えることを特徴とする。
【００１１】
請求項３に記載の発明は、映像及び／又は音声を出力する出力装置とで映像データ及び／又は音声データを相互に通信する通信部を備えたＡＶ機器において、
前記通信部にて前記出力装置に送信される前記映像データ又は音声データを記憶する記憶手段と、
前記出力装置から出力中の映像データ又は音声データを、前記通信部を介して取得する取得手段と、
前記取得手段により取得された映像データ又は音声データが、前記記憶手段に記憶された映像データ又は音声データに含まれているか否かを判断する判断手段と、
前記判断手段により、前記取得手段により取得された映像データ又は音声データが、前記記憶手段に記憶された映像データ又は音声データに含まれていないと判断された場合に、当該ＡＶ機器の電源を遮断する電源遮断手段と、
を備えることを特徴とする。
【００１２】
請求項４に記載の発明は、請求項１〜３の何れか一項に記載のＡＶ機器において、表示部と、前記判断手段により、前記取得手段により取得された映像データ又は音声データが、前記記憶手段に記憶された映像データ又は音声データに含まれていないと判断された場合に、当該ＡＶ機器の電源を遮断する旨を、前記表示部にて報知する報知手段と、を備え、
前記電源遮断手段は、前記報知手段による報知をしてから所定時間経過した後、当該ＡＶ機器の電源を遮断することを特徴とする。
【００１３】
請求項５に記載の発明は、請求項１〜４の何れか一項に記載のＡＶ機器において、
ユーザの操作に基づいて操作信号を出力する操作部と、
前記操作部から出力される操作信号を受信したか否かにより、ユーザが前記操作部を操作したか否かを判断するユーザ操作判断手段と、を備え、
前記電源遮断手段は、前記ユーザ操作判断手段により所定の時間ユーザが操作していないと判断された場合に、当該ＡＶ機器の電源を遮断することを特徴とする。
【００１４】
請求項６に記載の発明は、
表示部と、
ユーザの操作に基づいて操作信号を出力する操作部と、
映像及び／又は音声を出力する出力装置に対して映像データ及び／又は音声データを送信する送信部を備えたＡＶ機器において、
前記送信部にて前記出力装置に送信される前記音声データを記憶する記憶手段と、
前記出力装置より出力される音声を集音マイクにより集音して音声データを取得する取得手段と、
前記取得手段により取得された音声データが、前記記憶手段に記憶された音声データに含まれているか否かを判断する判断手段と、
前記判断手段により、前記取得手段により取得された音声データが、前記記憶手段に記憶された音声データに含まれていないと判断された場合に、当該ＡＶ機器の電源を遮断する電源遮断手段と、
前記判断手段により、前記取得手段により取得された音声データが、前記記憶手段に記憶された音声データに含まれていないと判断された場合に、当該ＡＶ機器の電源を遮断する旨を、前記表示部にて報知する報知手段と、
前記操作部から出力される操作信号を受信したか否かにより、ユーザが前記操作部を操作したか否かを判断するユーザ操作判断手段と、を備え、
前記電源遮断手段は、前記報知手段による報知をしてから所定時間経過した後であって、前記ユーザ操作判断手段により所定の時間ユーザが操作していないと判断された場合に、当該ＡＶ機器の電源を遮断することを特徴とする。
【発明の効果】
【００１５】
本発明によれば、出力装置より出力される映像及び／又は音声データを取得し、ＡＶ機器が出力装置に出力している映像及び／又は音声データに、出力装置より取得した映像及び／又は音声データが含まれていないとＡＶ機器が判断した場合に、自動的にＡＶ機器の電源を遮断する。
したがって、ＡＶ機器が出力している映像や音声と、モニタ等の出力装置を介してユーザが視聴する映像や音声が相違する場合に、自動的にＡＶ機器の電源を遮断するＡＶ機器を提供することが出来る。
【発明を実施するための最良の形態】
【００１６】
（実施形態１）
以下、図１を参照して、本発明に係るＡＶ機器の実施形態１を詳細に説明する。なお、発明の範囲は、図示例に限定されない。
【００１７】
図１に示すように、ＡＶ機器２００は、出力装置１００と接続され、出力装置１００は、ＡＶ機器２００から入力された映像データ及び／又は音声データに基づく映像及び／又は音声を出力する。
【００１８】
ＡＶ機器２００は、例えば、ＨＤＤプレーヤーから構成され、出力装置１００に対して出力する、映像データや音声データから構成される動画データを格納するＨＤＤ部２０１と、動画データの入出力経路を設定して、ＨＤＤ部２０１から取り込んだ動画データを装置の各部に出力するデータプロセッサ２０２と、ＨＤＤ部２０１から出力された動画データに所定の復元処理を行うデコーダ２０３と、デコーダ２０３から出力された音声データを一時的に記憶するバッファ２１４と、デコーダ２０３から出力された映像データや音声データに対して所定の信号出力処理を行う出力インターフェース部２０４と、映像データに対してＯＳＤデータを付加するＯＳＤ（On Screen Display）回路２０５と、ユーザのキー操作などによる入力操作信号を受信するとともに、その入力操作信号を制御部２０７に出力する入力操作部２０６と、ＡＶ機器２００の各部を統括制御する制御部２０７と、現在時刻を計時して制御部２０７にその時刻を出力する計時部２０８と、計時部２０８にて計時された現在時刻や「再生」、「停止」などのＡＶ機器２００の作動状態などを表示する表示部２０９と、装置各部を接続する制御バス２１０と、出力装置１００のスピーカ１０９（後述）の近傍に配置され、スピーカ１０９の出力する音声を集音する集音マイク２１１と、集音マイク２１１により集音される音声等を取り込む入力インターフェース部２１２と、入力インターフェース部２１２に取り込まれた音声をデジタル化処理するＡ／Ｄ変換器２１３と、ＡＶ機器２００の電源２１５と、などを備えている。
【００１９】
ＨＤＤ部２０１は、再生処理に用いられる動画データを記憶しており、例えば、ＡＴＡ（AT Attachment）規格を採用し、内蔵されたハードディスク（図示省略）と、ＨＤＤ部２０１に対するデータの記憶或いはハードディスクに記憶された動画データの読み出しを行う磁気ヘッド（図示省略）と、ハードディスクを回転駆動させるとともに、磁気ヘッド（図示省略）をハードディスクの半径方向に移動させるための駆動部（図示省略）等を備えて構成されている。ハードディスクは、非磁性体のディスク基板（図示省略）と、その上に設けられた磁性層（図示省略）と、を備えて成り、磁気ヘッド（図示省略）とハードディスクとの間に、電流を供給することにより磁界を発生する微小なギャップを有している。
【００２０】
バッファ２１４は、音声データ記憶部２１４ａを備えており、データを一時的に保存しておく記憶領域として機能する。
【００２１】
音声データ記憶部２１４ａは、ＨＤＤ部２０１に記憶された動画データを再生する時に、その動画データの中で後述のデコーダ２０３により分離された音声データのみを一時的に記憶する。また、後述の集音マイク２１１及びＡ／Ｄ変換器２１３等により取得される、出力装置１００のスピーカ１０９から出力された音声データを一時的に記憶する。
【００２２】
データプロセッサ２０２は、後述するＣＰＵ２０７ａからの制御出力に基づいて、動画データの入出力経路を設定し、データの入力及び出力を制御する。
具体的には、例えば、ユーザによる操作入力部２０６の操作によりＡＶ機器２００に対する「再生」の指示がなされた場合には、ＨＤＤ部２０１に記憶された動画データを後述のデコーダ２０３に対して出力する。
【００２３】
デコーダ２０３は、例えば、図示は省略するが、セパレート部と、ビデオデコーダと、オーディオデコーダ等を備えて構成されている。
セパレート部は、ＨＤＤ部２０１からデータプロセッサ２０２を介して出力された動画データを映像データ、音声データ等の複数のデータに分離する。また、ビデオデコーダは、セパレート部において分離された映像データを、ＭＰＥＧ方式に従って復元し、オーディオデコーダは、セパレート部において分離された音声データをＭＰＥＧオーディオ方式に従って復元する。
このデコーダ２０３において生成された映像データや音声データは、再生処理においては後述の出力インターフェース部２０４に出力されることとなる。
【００２４】
出力インターフェース部２０４は、例えば、映像出力部２０４ａと音声出力部２０４ｂを備え、再生処理においてデコーダ２０３から入力される動画データに対して各種の出力インターフェース処理を施し、出力装置１００へ映像データ、音声データとして出力する。
【００２５】
ＯＳＤ回路２０５は、動画データを構成する映像データに対して、ＲＯＭ２０７ｃに格納された図示しないＯＳＤデータを合成する処理を行う。
【００２６】
入力操作部２０６は、例えば、「再生」や「停止」などのユーザがＡＶ機器２００の操
作を行うための各種キーが備えられており、ユーザの押下操作による入力操作信号を生成し、その入力操作信号を制御部２０７に対して出力する。
【００２７】
制御部２０７は、ＣＰＵ（Central Processing Unit）２０７ａと、ＲＡＭ（Random Access Memory）２０７ｂと、ＲＯＭ（Read Only Memory）２０７ｃ等を備えて構成されている。
【００２８】
ＣＰＵ２０７ａは、ＡＶ機器２００の各部を介して入力された入力信号や、入力操作部２０６の各種キーの押下操作によって入力された入力操作信号等に応じて、ＲＯＭ２０７ｃに格納された各種プログラムを実行するとともに、実行にかかるプログラムに基づいて装置の各部に出力信号を出力することによって、ＡＶ機器２００の動作全般を統括制御する。
【００２９】
ＲＡＭ（Random Access Memory）２０７ｂは、例えば、ＣＰＵ２０７ａにより実行される処理プログラム等を展開するためのプログラム格納領域（図示省略）や、入力データや処理プログラムが実行される際に生じる処理結果等を格納するデータ格納領域（図示省略）などを備える。
【００３０】
ＲＯＭ（Read Only Memory）２０７ｃは、例えば、不揮発性メモリからなり、出力装置１００の表示画面１０８に表示するＯＳＤ表示に関するＯＳＤデータが格納されるデータ格納エリアやプログラム格納エリアを有し、プログラム格納エリアには、取得プログラム２０７ｄ、判断プログラム２０７ｅ、電源遮断プログラム２０７ｆ、記憶プログラム２０７ｇ、報知プログラム２０７ｈ、ユーザ操作判断プログラム２０７ｉ等の各種プログラムが格納されている。
【００３１】
取得プログラム２０７ｄは、出力装置１００から出力される音声を、集音マイク２１１及びＡ／Ｄ変換器２１３などにより、所定の時間間隔で取得する機能をＣＰＵ２０７ａに実現させるプログラムである。
つまり、ＣＰＵ２０７ａは、取得プログラム２０７ｄを実行することにより、出力装置１００のスピーカ１０９から出力される音声を、音声データとして所定の時間周期で取得することが出来る。具体的には、例えば、ユーザによる入力操作部２０６の「再生」操作が実行されると、その入力操作信号が制御部２０７に対して出力されると同時に、集音マイク２１１によって出力装置１００のスピーカ装置１０９から出力される音声を所定時間取得し、その後、取得時間と同程度の時間の取得待機状態を経て、再び取得／待機を繰り返し行う。
よって、ＣＰＵ２０７ａは、かかる取得プログラム２０７ｄを実行することにより、取得手段として機能する。
【００３２】
記憶プログラム２０７ｇは、ＡＶ機器２００が出力インターフェース部２０４を介して出力装置１００に出力する音声データを、バッファ２１４に一時的に記憶しておく機能をＣＰＵ２０７ａに実現させるプログラムである。
つまり、ＣＰＵ２０７ａは、ユーザによって入力操作部２０６の「再生」操作が実行されると、その入力操作信号が制御部２０７に対して出力されると同時に、記憶プログラム２０７ｇを実行することにより、ＨＤＤ部２０１から出力される動画データがデコーダ２０３により音声データのみに分離された状態で、バッファ２１４の音声データ記憶部２１４ａにその音声データを一時的に記憶させる記憶手段として機能する。
【００３３】
判断プログラム２０７ｅは、取得プログラム２０７ｄを実行して集音マイク２１１により取得し、Ａ／Ｄ変換器２１３を介してデジタル化された音声データが、記憶プログラム２０７ｇにより記憶された音声データに含まれているか否かを判断する機能をＣＰＵ２０７ａに実現させるプログラムである。
つまり、ＣＰＵ２０７ａは、判断プログラム２０７ｅを実行することにより、例えば、音声データ記憶部２１４ａに記憶されている音声データと、集音マイク２１１により取得しＡ／Ｄ変換器２１３を介してデジタル化された音声データと、の振幅や音高等の波形を比較することにより、記憶されている音声データの一部とデジタル化された音声データとが一致するか否かの判断を行う判断手段として機能する。
【００３４】
電源遮断プログラム２０７ｆは、ＣＰＵ２０７ａが判断プログラム２０７ｅの実行により、音声データ記憶部２１４ａに記憶されている音声データに、取得プログラム２０７ｄにより取得された音声データが含まれていないと判断した場合に、当該ＡＶ機器２００の電源２１５を遮断する機能をＣＰＵ２０７ａに実現させるプログラムである。
つまり、ＣＰＵ２０７ａは、電源遮断プログラム２０７ｆを実行することにより、ＡＶ機器２００の電源２１５を遮断する電源遮断手段として機能する。
また、ＣＰＵ２０７ａは、後述の報知プログラム２０７ｈを実行することにより、ユーザに所定時間経過後ＡＶ機器２００の電源２１５を遮断する旨を報知している場合、計時部２０８にて計時される所定時間が経過するまで、判断プログラム２０７ｅ及び後述のユーザ操作判断プログラム２０７ｉを繰り返し実行する。つまり、ＣＰＵ２０７ａは、所定時間が経過するまで、出力装置１００のスピーカ１０９を介して出力される音声に基づく音声データが、音声データ記憶部２１４ａに記憶されている音声データに含まれているか否かを繰り返し判断し、加えて、ユーザによる入力操作部２０６の操作があるか否かを繰り返し判断する。そして、ＣＰＵ２０７ａが、所定時間が経過するまでに、出力装置１００のスピーカ１０９を介して出力される音声に基づく音声データが、音声データ記憶部２１４ａに記憶されている音声データに含まれていると判断した場合、又は入力操作部２０６の操作があったと判断した場合、電源２１５は遮断されない。一方で、ＣＰＵ２０７ａが、所定時間経過時に、出力装置１００のスピーカ１０９を通じて出力される音声に基づく音声データが、音声データ記憶部２１４ａに記憶されている音声データに含まれていないと判断した場合、且つ、入力操作部２０６の操作がなかったと判断した場合、ＡＶ機器２００の電源２１５を遮断する。
【００３５】
報知プログラム２０７ｈは、ＣＰＵ２０７ａが判断プログラム２０７ｅの実行により、音声データ記憶部２１４ａに記憶されている音声データに、取得プログラム２０７ｄにより取得された音声に基づく音声データが含まれていないと判断した場合に、ＡＶ機器２００の電源２１５を所定時間経過後に遮断する旨を表示部２０９の表示によりユーザに報知する機能をＣＰＵ２０７ａに実現させるプログラムである。
つまり、ＣＰＵ２０７ａは、報知プログラム２０７ｈを実行することにより、ＡＶ機器２００が出力装置１００に出力している音声データと、出力装置１００のスピーカ１０９を介して出力される音声に基づく音声データとが異なると判断した場合、ＡＶ機器２００の表示部２０９にて、出力装置１００のスピーカ１０９を介して現在出力されている音声をユーザが切り替える動作を実施するか、又はＡＶ機器２００の入力操作部２０６に何らかの入力操作を行わない限り、ＡＶ機器２００の電源２１５を所定時間経過後に遮断する旨を表示部２０９の表示により報知する報知手段として機能する。
【００３６】
ユーザ操作判断プログラム２０７ｉは、ユーザによる入力操作部２０６の操作があるか否かを判断する機能をＣＰＵ２０７ａに実現させるプログラムである。
つまり、ＣＰＵ２０７ａは、ユーザ操作判断プログラム２０７ｉを実行することにより、報知プログラム２０７ｈにより報知されると同時に、入力操作部２０６からの入力操作信号が検出されたか否かの判断を開始し、入力操作信号が検出された場合に電源遮断プログラム２０７ｆの実行を中止するユーザ操作判断手段として機能する。
【００３７】
計時部２０８は、現在時刻を計時し、ＣＰＵ２０７ａからの制御出力に応じて、計時した現在時刻データを、ＣＰＵ２０７ａに対して出力する。
【００３８】
表示部２０９は、図示しない液晶パネルとバックライトから構成されており、例えば、報知プログラム２０７ｈにて報知される報知メッセージや、計時部２０８にて計時される現在時刻、入力操作部２０６によりユーザが入力操作した結果などが表示される。
【００３９】
集音マイク２１１は、出力装置１００のスピーカ１０９の近傍に配置され、スピーカ１０９の出力する音声を集音するように構成されており、集音した音声は入力インターフェース部２１２のマイク入力部２１２ａに入力される。
【００４０】
入力インターフェース部２１２は、マイク入力部２１２ａを備えて構成されており、マイク入力部２１２ａは、集音マイク２１１から取得した音声をＡ／Ｄ変換器２１３に出力している。
【００４１】
Ａ／Ｄ変換器２１３は、入力インターフェース部２１２を介して入力された音声を、音声データとして判断プログラム２０７ｅによる判断対象として利用し得るようにデジタル化する。
【００４２】
出力装置１００は、例えば、テレビジョン受像機により構成され、放送信号を受信するアンテナ１０１と、アンテナ１０１と接続され、アンテナ１０１から所定の周波数の放送信号を受信するチューナ１０２と、チューナ１０２により入力された放送信号を復調する復調器１０３と、復調器１０３により復調された放送信号を復号するデコーダ１０４と、デコーダ１０４及びＡＶ機器２００から出力された映像データに対して所定の処理を行う映像処理部１０５と、デコーダ１０４及びＡＶ機器２００から出力された音声データに対して所定の処理を行う音声処理部１０６と、映像処理部１０５により処理された映像信号にＯＳＤデータを合成する処理を行うＯＳＤ回路１０７と、映像処理部１０５から出力された映像信号を出力する表示画面１０８と、音声処理部１０６から出力された音声信号を出力するスピーカ１０９と、入力インターフェース部１１０を備えている。
【００４３】
アンテナ１０１は、屋外において所定の方向に向けて配置されており、図示しないテレビジョン放送局から発信される高周波のＲＦ（Ｒａｄｉｏ  Ｆｒｅｑｕｅｎｃｙ）信号を受信する。
【００４４】
チューナ１０２は、図示は省略するが、ＵＨＦ／ＶＨＦチューナ、ＢＳチューナ及びＣＳチューナを備えており、それぞれのチューナは、高周波増幅回路と、局部発振回路及び混合回路から成る周波数変換回路と、を備えて構成されている。チューナ１０２は、アンテナ１０１によって受信されたＲＦ信号と、局部発振回路から出力される局部発振信号とを混合回路により混合し、当該ＲＦ信号の周波数を選局して受像するチャンネルに同調するための制御信号に応じて、同調したチャンネルに対応する特定周波数帯のデジタル／アナログＲＦ信号を受信する。そして、当該受信したデジタル／アナログＲＦ信号を所定の中間周波数を有する中間周波信号（ＩＦ信号）に変換して、復調器１０３に出力する。
【００４５】
復調器１０３は、例えば、図示は省略するものの、デジタル信号復調器及びアナログ信号復調器を備えており、デジタル信号復調器において、チューナ１０２から入力されたデジタルＩＦ信号に対して増幅、復調、誤り訂正等の処理を行い、トランスポートストリーム（ＴＳ）を生成して、さらに当該トランスポートストリームを、ＭＰＥＧ２（Moving Picture Experts Group ２）規格下のビデオストリーム、オーディオストリーム及びＰＳＩ／ＳＩ（Program Specific Information/Service Information）等に分離するとともに、当該ビデオストリーム及びオーディオストリームをデコーダ１０４に供給する。また、アナログ信号復調器において、チューナ１０２から入力されたアナログＩＦ信号に対して増幅、復調等の処理を行い、映像データ及び音声データを生成する。
【００４６】
デコーダ１０４は、図示しない映像デコーダ及び音声デコーダを備えて構成されている。映像デコーダは、復調器１０３から入力されたビデオストリームを復号し、逆ＤＣＴ変換や動き補償制御等を行い、映像データを生成する。一方、音声デコーダは、復調器１３から入力されたオーディオストリームを復号して、音声データを生成する。
復調器１０３及びデコーダ１０４によって生成された映像／音声データは、映像処理部１０５又は音声処理部１０６に出力されることとなる。
【００４７】
映像処理部１０５は、デコーダ１０４から入力された映像データに対して、Ｄ／Ａ変換等の各種処理を施し、映像信号を生成するとともに、生成した映像信号を表示部１０７に出力する。
音声処理部１０６は、デコーダ１０４により入力された音声データに対してＤ／Ａ変換等の各種処理を行い、音声信号を生成するとともに、生成した音声信号をスピーカ１０９に出力する。
【００４８】
ＯＳＤ回路１０７は、映像処理部１０５により処理された映像信号に対して、図示しないＲＯＭに格納されたＯＳＤデータを合成する処理を行う。
【００４９】
表示画面１０８は、例えば、ＣＲＴ（Cathode Ray Tube）、ＬＣＤ（Liquid Crystal Display）等から構成され、映像処理部１０５から入力された映像信号に基づく映像を表示画面１０８に表示させる。
一方で、スピーカ１０９は、音声処理部１０６から入力された音声信号に基づく音声を出力させる。
【００５０】
入力インターフェース部１１０は、映像入力部１１０ａと、音声入力部１１０ｂを備えて構成されており、ＡＶ機器２００から送信される映像データや音声データに対して入力インターフェース処理を施す。
【００５１】
＜自動電源遮断処理＞
次に、ＡＶ機器２００の、実施形態１における自動電源遮断処理について、図２のフローチャートを参照して説明する。
【００５２】
まず、ユーザが出力装置１００及びＡＶ機器２００の電源２１５を投入し、入力操作部２０６の「再生」操作を行う。このとき、出力装置１００のスピーカ１０９から出力される音声に基づく音声データを音声データ１、ＡＶ機器２００が出力装置１００に対して出力している音声データを音声データ２とする（ステップＳ１）。
【００５３】
次いで、ＣＰＵ２０７ａは、ユーザによりＡＶ機器２００の電源２１５が投入され、「再生」操作が実行されると、記憶プログラム２０７ｇを実行することにより、音声データ２の音声データ記憶部２１４ａへの記憶を開始する（ステップＳ２）。
【００５４】
次いで、ＣＰＵ２０７ａは、取得プログラム２０７ｄを実行することにより取得する音声データ１の取得回数を（以下、取得回数ｉとする）、ＲＡＭ２０７ｂに記憶する。したがって、入力操作部２０６の「再生」操作が実行されると同時に音声データ１の取得処理が開始されるため、「再生」操作の実行開始時における取得回数ｉは１として記憶される（ステップＳ３）。
【００５５】
次いで、ＣＰＵ２０７ａは、取得プログラム２０７ｄを実行することにより、集音マイク２１１及びＡ／Ｄ変換器２１３などにより集音された音声を、音声データ１として取得する（ステップＳ４）。
【００５６】
次いで、ＣＰＵ２０７ａは、判断プログラム２０７ｅを実行することにより、音声データ２に取得回数ｉ番目の音声データ１が含まれているか否かを判断する（ステップＳ５）。
【００５７】
次いで、ＣＰＵ２０７ａは、音声データ２に音声データ１が含まれていると判断した場合（ステップＳ５；Ｙｅｓ）、ステップＳ１２へ移行する。
【００５８】
一方で、ＣＰＵ２０７ａは、音声データ２に音声データ１が含まれていないと判断した場合（ステップＳ５；Ｎｏ）、取得回数ｉが１と等しいか否か、すなわち音声１の初回の取得であるか否かが判断される（ステップＳ６）。
【００５９】
次いで、ＣＰＵ２０７ａは、取得回数ｉが１と等しいと判断した場合（ステップＳ６；Ｙｅｓ）、計時部２０８により、当該時点からの経過時間を計時開始する（ステップＳ７）。
【００６０】
次いで、ＣＰＵ２０７ａは、報知プログラム２０７ｈを実行することにより、ＡＶ機器２００の表示部２０９にて、出力装置１００のスピーカ１０９が出力している音声をユーザが切り替える動作を実施するか、又はＡＶ機器２００の入力操作部２０６に何らかの入力操作を行わない限り、ＡＶ機器２００の電源２１５を所定時間経過後に遮断する旨をユーザに報知する（ステップＳ８）。
【００６１】
一方で、ＣＰＵ２０７ａは、取得回数ｉが１と異なると判断した場合（ステップＳ６；Ｎｏ）、既に計時が開始されており、ユーザに対する報知がなされていると判断し、ステップＳ９へ移行する。
【００６２】
次いで、ＣＰＵ２０７ａは、ユーザ操作判断プログラム２０７ｉを実行することにより、ユーザによって何らかの入力操作部２０６の操作が行われたか否かが判断される（ステップＳ９）。
【００６３】
次いで、ＣＰＵ２０７ａは、ユーザによって入力操作部２０６の操作が行われたと判断した場合（ステップＳ９；Ｙｅｓ）、ステップＳ１２へ移行する。
【００６４】
一方で、ＣＰＵ２０７ａは、ユーザによって入力操作部２０６の操作が行われていないと判断した場合（ステップＳ９；Ｎｏ）、ステップＳ７にて計時が開始された時点より所定時間が経過したか否かが判断される（ステップＳ１０）。
【００６５】
次いで、ＣＰＵ２０７ａは、ステップＳ７にて計時が開始された時点より所定時間が経過していないと判断した場合（ステップＳ１０；Ｎｏ）、取得回数ｉを１増加し（ステップＳ１１）、ステップＳ４からステップＳ１１までの処理を繰り返し実施する。
【００６６】
一方で、ＣＰＵ２０７ａは、ステップＳ７にて計時が開始された時点より所定時間が経過したと判断した場合（ステップＳ１０；Ｙｅｓ）、ステップＳ１４へ移行する。
【００６７】
また、ステップＳ５において、ＣＰＵ２０７ａは、音声データ２に音声データ１が含まれていると判断した場合（ステップＳ５；Ｙｅｓ）、又はユーザによって入力操作部２０６の操作が行われたと判断した場合（ステップＳ９；Ｙｅｓ）、記憶プログラム２０７ｇの実行を停止し、音声データ２の記憶を終了する（ステップＳ１２）。
【００６８】
次いで、ＣＰＵ２０７ａは、計時部２０８にて計時される所定時間が経過するまで待機した後、再びステップＳ２以降の処理を繰り返し実行する（ステップＳ１３）。
【００６９】
次いで、ＣＰＵ２０７ａは、電源遮断プログラム２０７ｆを実行することにより、ステップＳ７にて計時が開始された時点より所定時間が経過したと判断した場合（ステップＳ１０；Ｙｅｓ）、ＡＶ機器２００の電源２１５を遮断する（ステップＳ１４）。
【００７０】
以上のように、本発明にかかるＡＶ機器２００の実施形態１において、出力装置１００の電源２１５が投入された状態にあり、且つＡＶ機器２００の「再生」操作が選択されている場合、ＡＶ機器２００は出力装置１００の出力する音声と、ＡＶ機器２００の出力装置１００に対して出力する音声を比較し、相違すると判断されると、ＡＶ機器２００の電源２１５を遮断することが出来る。したがって、ＡＶ機器２００は、ＡＶ機器が出力している音声と、モニタ等の出力装置を介してユーザが視聴する音声が相違する場合に、自動的にＡＶ機器の電源を遮断することが出来るＡＶ機器といえる。
【００７１】
つまり、ＡＶ機器２００は、出力装置１００に対して出力する音声がユーザに視聴されていない場合、ＡＶ機器２００の電力が浪費されていることになるため、自己の電源２１５を遮断することにより、この浪費を好適に回避することが出来る。
【００７２】
また、ＡＶ機器２００は、出力装置１００に対して出力する自己の音声データをバッファ２１４に格納し、出力装置１００の出力する音声を集音マイク２１１により取得することが出来る。
【００７３】
つまり、ＡＶ機器２００は、映像データや音声データなどから構成される動画データのうち、判断手段に必要とされる音声データのみをバッファ２１４に一時的に格納することが出来るため、バッファ領域を音声データ記憶のために必要な最小限に構成することが出来、また、出力装置から音声を取得する手段として、出力装置１００側に特段の構成を追加すること無く、出力装置１００のスピーカ１０９の近傍に集音マイク２１１を設置するという極めて容易な方法により、出力装置１００の音声を取得することを実現している。
【００７４】
また、ＡＶ機器２００は、出力装置１００の音声データが、自己の出力装置１００に対して出力する音声データに含まれるか否かを判断し、含まれていないと判断した場合に、所定時間経過後にＡＶ機器２００の電源２１５が遮断される旨を、ＡＶ機器２００の表示部２０９にてユーザに報知することが出来る。
【００７５】
つまり、ユーザは、当該報知を受け取ることにより、出力装置１００の音声の出力を切り替える、或いはＡＶ機器２００を入力操作し再生機能を停止させる等の措置を、電源２１５が自動遮断される前に行うことが可能となる。
【００７６】
また、ＡＶ機器２００は、入力操作部２０６をユーザが操作したか否かの判断を行うことにより、所定の時間ユーザが何ら操作をしていないと判断した場合、自己の電源２１５を遮断することが出来る。
【００７７】
つまり、ユーザによる入力操作部２０６の操作があったか否かの判断を行うことにより、ユーザが出力装置１００の音声の出力を切り替える、或いはＡＶ機器２００を入力操作し再生機能を停止させる等の措置を行う意思があるか否か、を判断することが出来る。
【００７８】
なお、本実施形態１では、ＡＶ機器２００は、集音マイク２１１を備えることにより出力装置１００の出力する音声を取得するように構成しているが、本実施形態に限定されるものではなく、集音マイク２１１に換えて、例えば、撮像カメラを備え、出力装置１００の出力する映像を取得するようにしてもよい。この場合、ＡＶ機器２００は、デコーダ２０３において生成された映像データをバッファ２１４に記憶しておき、この映像データに撮像カメラにて取得される映像データが含まれるか否かを判断するように構成される。
【００７９】
（実施形態２）
次に、図３を参照して、本発明に係るＡＶ機器の実施形態２を詳細に説明する。なお、
実施形態１と同一部分には同一符号を付し、異なる部分について説明する。
【００８０】
図３に示されるように、ＡＶ機器２００Ａは、実施形態１における集音マイクによる出
力装置１００からの音声取得に代えて、出力装置１００が出力する映像又は音声データとＡＶ機器２００が出力する映像又は音声データとを相互に通信できるように構成し、出力装置１００Ａの映像及び／又は音声データが取得できる。具体的には、ＡＶ機器２００Ａは、実施形態１におけるＡＶ機器２００に対して、入力インターフェース部２１２Ａに映像入力部２１２ｂと音声入力部２１２ｃが付加され、マイク入力部２１２ａが削除され、また、バッファ２１４Ａは映像データ記憶部２１４ｂが付加され、集音マイク２１１及びＡ／Ｄ変換器２１３が削除された構成となっている。
【００８１】
入力インターフェース部２１２Ａは、映像入力部２１２ｂと、音声入力部２１２ｃを備えて構成されており、後述の出力装置１００Ａの出力インターフェース部１５０Ａを介して、出力装置１００Ａから出力された映像データ又は音声データに対する入力インターフェース処理を施す。
【００８２】
バッファ２１４Ａの映像データ記憶部２１４ｂは、ＨＤＤ部２０１に記憶された動画データを再生する時に、その動画データの中でデコーダ２０３により分離された映像データのみを一時的に記憶する。
【００８３】
また、図２に示されるように、出力装置１００Ａは、出力装置１００Ａが出力する映像
又は音声データとＡＶ機器２００Ａが出力する映像又は音声データとを相互に通信できるように、実施形態１における出力装置１００に対して、出力インターフェース部１５０Ａが付加されて備えられている。
【００８４】
出力インターフェース部１５０Ａは、映像出力部１５１Ａと、音声出力部１５２Ａを備えて構成されており、デコーダ１０４にて出力された映像データ又は音声データが、当該映像出力部１５１Ａ又は音声出力部１５２Ａを介して、ＡＶ機器２００に出力されることとなる。
【００８５】
＜自動電源遮断処理＞
実施形態２における、ＡＶ機器２００Ａの自動電源遮断処理については、出力装置１００ＡとＡＶ機器２００Ａが、映像及び／又は音声データを相互に通信することが出来るため、例えば、図２の実施形態１における音声データ１を映像データ１又は音声データ１とし、音声データ２を映像データ２又は音声データ２と置き換え、各ステップにおいて映像又は音声のいずれか一方を取得し判断するようにすることで、図２の実施形態１における自動電源遮断処理と略等しい自動電源遮断処理を実現できる。
【００８６】
以上のように、本発明にかかる実施形態２のＡＶ機器２００Ａにおいて、ＡＶ機器２００Ａと出力装置１００Ａの双方に映像データ及び／又は音声データを相互に通信する通信部を備えることにより、ＡＶ機器２００Ａは、出力装置１００Ａの映像データ又は音声データを取得し、その映像データ又は音声データが出力装置１００Ａに対して出力する自己の映像データ又は音声データに含まれるか否かを判断することが出来る。
したがって、ＡＶ機器２００Ａは、ＡＶ機器が出力している映像又は音声と、モニタ等の出力装置を介してユーザが視聴する映像や音声が相違する場合に、自動的にＡＶ機器の電源を遮断することが出来るＡＶ機器といえる。
【００８７】
つまり、ＡＶ機器２００Ａは、出力装置１００Ａに対して出力する音声がユーザに視聴されていない場合、ＡＶ機器２００Ａの電力が浪費されていることになるため、自己の電源２１５を遮断することにより、この浪費を好適に回避することが出来る。また、出力装置１００Ａの映像データ又は音声データを双方の通信手段により取得することにより、出力装置１００Ａの映像データ又は音声データを表示画面やスピーカなどの出力媒体を介さずに直接取得することが出来るので、正確な映像データ又は音声データの比較判断を行うことが出来る。
【００８８】
また、ＡＶ機器２００Ａは、出力装置１００Ａの映像データ又は音声データが、自己の出力装置１００Ａに対して出力する映像データ／音声データに含まれるか否かを判断し、含まれていないと判断した場合に、所定時間経過後にＡＶ機器２００Ａの電源２１５が遮断される旨を、ＡＶ機器２００Ａの表示部２０９にてユーザに報知することが出来る。
【００８９】
つまり、ユーザは、当該報知を受け取ることにより、出力装置１００Ａの映像又は音声の出力を切り替える、或いはＡＶ機器２００Ａを入力操作し再生機能を停止させる等の措置を、電源２１５が自動遮断される前に行うことが可能となる。
【００９０】
また、ＡＶ機器２００Ａは、入力操作部２０６をユーザが操作したか否かの判断を行うことにより、所定の時間ユーザが何ら操作をしていないと判断した場合、自己の電源２１５を遮断することが出来る。
【００９１】
つまり、ユーザによる入力操作部２０６の操作があったか否かの判断を行うことにより、ユーザが出力装置１００Ａの映像又は音声の出力を切り替える、或いはＡＶ機器２００Ａを入力操作し再生機能を停止させる等の措置を行う意思があるか否か、を判断することが出来る。
【００９２】
なお、本発明にかかるＡＶ機器はＨＤＤプレーヤーに限られるものではなく、例えば、ビデオデッキ、ＤＶＤプレーヤー、ＳＴＢ（Ｓｅｔ  Ｔｏｐ  Ｂｏｘ）などのように、映像及び／又は音声を出力装置に対して送信する機器であればよい。また、出力装置はテレビジョン受像機に限られるものではなく、例えば、映像及び／又は音声を出力するモニタ装置などであってもよい。
【図面の簡単な説明】
【００９３】
【図１】本発明にかかる実施形態１のＡＶ機器及び出力装置の要部構成を示すブロック図である。
【図２】本発明における自動電源遮断処理の実行による動作を説明するためのフローチャートである。
【図３】本発明にかかる実施形態２のＡＶ機器及び出力装置の要部構成を示すブロック図である。
【符号の説明】
【００９４】
１００        出力装置
１０８        表示画面
１０９        スピーカ
２００        ＡＶ機器
２０４        出力インターフェース部（送信部）
２０４ａ      映像出力部
２０４ｂ      音声出力部
２０６        入力操作部（操作部）
２０７        制御部
２０７ａ      ＣＰＵ（記憶手段、取得手段、判断手段、電源遮断手段、報知手段、ユーザ操作判断手段）
２０７ｃ      ＲＯＭ
２０７ｇ      記憶プログラム（記憶手段）
２０７ｄ      取得プログラム（取得手段）
２０７ｅ      判断プログラム（判断手段）
２０７ｆ      電源遮断プログラム（電源遮断手段）
２０７ｈ      報知プログラム（報知手段）
２０７ｇ      ユーザ操作判断プログラム（ユーザ操作判断手段）
２０９        表示部
２１１        集音マイク
２１４        バッファ
２１４ａ      音声データ記憶部
１００Ａ      出力装置
２００Ａ      ＡＶ機器
２１２Ａ      入力インターフェース部（通信部）
２１２ｂ      映像入力部
２１２ｃ      音声入力部
２１４Ａ      バッファ
２１４ｂ      映像データ記憶部
【図１】
0005034826.tif 000002
【図２】
0005034826.tif 000003
【図３】
0005034826.tif 000004